(57)【要約】【課題】ハウジングにセットした状態の端子に、確実に外れないように電線を接続することのできる端子への電線接続方法を提供する。【解決手段】準備工程として、コネクタハウジング１に端子１０をセットする。端子は端子基板１２ａ上に電線接続部１２として一対の導体挟持片１２ｂ、１２ｂを起立させ、この一対の導体挟持片の間に上方から電線Ｗの芯線Ｗａを挿入可能な挿入溝１５を確保したものである。予備半田工程にて半田を染み込ませた電線Ｗの芯線Ｗａを端子１０の電線接続部１２の溝入口部１５ａに載せ、この状態で芯線Ｗａに上方から半田ごてＨの先端を突き当て、この半田ごてＨにより芯線Ｗａを加熱することにより該芯線Ｗａに染み込ませた半田を溶かし、これにより、ばらけた状態になった芯線Ｗａを半田ごてＨで下向きに押圧することにより電線接続部１２の溝内底部１５ｃに押し込み、この位置で半田により芯線Ｗａを端子１０に接合する。【選択図】図１
2010092642.tif 000002
【特許請求の範囲】
【請求項１】
帯板状の端子基板上に、電線接続部として、この幅方向に間隔を開けて一対の導体挟持片を起立させ、この一対の導体挟持片の間に上方から電線の芯線を挿入可能な挿入溝を確保し、この挿入溝の断面形状を、溝入口部が上方を向いて拡がり、この下の溝中間部が前記電線の芯線の径よりも間隔が狭くなるよう窄まり、更にこの下の溝内底部が再び拡がった鼓形状に構成した端子を用意する準備工程と、
前記端子に接続しようとする電線の端部の被覆を除去して、露出した複数の素線の束よりなる芯線に半田を溶融して染み込ませる予備半田工程と、
前記予備半田工程にて半田を染み込ませた前記芯線を前記端子の電線接続部の溝入口部に載せ、この状態で前記芯線に上方から半田ごての先端を突き当て、この半田ごてにより前記芯線を加熱することにより該芯線に染み込ませた半田を溶かし、これによりばらけた状態になった芯線を半田ごてで下向きに押圧することにより前記電線接続部の溝内底部に押し込み、この位置で前記半田により前記芯線を端子に接合する本半田工程と、を具備することを特徴とする端子への電線接続方法。
【請求項２】
請求項１に記載の端子への電線接続方法において、
前記端子をコネクタハウジングの端子収容室に収容し、この状態で、前記端子収容室の天井壁に開けた孔から前記半田ごての先端を挿入して、前記本半田工程を実施することを特徴とする端子への電線接続方法。
【請求項３】
請求項２に記載の端子への電線接続方法において、
前記端子収容室を前記コネクタハウジングの上下方向に多段に設け、各段の端子収容室に前記端子を収容し、各段の端子収容室の天井壁に上下方向に貫通するように前記孔を設けると共に、これら端子収容室の天井壁の孔に対応するように、少なくとも最下段の端子収容室を除くこれ以外の各段の各端子収容室に収容した前記端子の電線接続部の端子基板上に貫通孔を設け、前記本半田工程の際に、まず最初に、前記コネクタハウジングの後端から最下段の端子収容室の内部に電線の先端を挿入して、前記予備半田工程にて半田を染み込ませた前記芯線を前記端子の電線接続部の溝入口部に載せ、この状態で、前記コネクタハウジングの外部上方から、各段の端子収容室の天井壁に形成した孔と各段の端子の電線接続部の端子基板上に形成した貫通孔を通して、前記半田ごての先端を、最下段の端子収容室まで挿入して、該最下段の端子収容室に収容した端子の電線接続部の溝入口部上に載せた前記芯線に上方から突き当てることで前記本半田工程を実行し、この後、順番に上の段の端子収容室に収容した端子に対して同様の操作で前記本半田工程を実行することにより、各段の端子収容室に収容した端子に対して電線を接続することを特徴とする端子への電線接続方法。
【請求項４】
請求項１〜３のいずれか１項に記載の端子への電線接続方法において、
前記電線接続部を前記端子の後端に形成し、この電線接続部よりも前側に、相手側端子と弾性接触するバネ部を形成したことを特徴とする端子への電線接続方法。
【発明の詳細な説明】
【技術分野】
【０００１】
本発明は、端子への電線接続方法に関するものである。
【背景技術】
【０００２】
一般に、コネクタハウジングに収容するメス端子は、先端にオス端子を受け入れるための角筒状のボックス部を有しており、そのボックス部の内部に、相手側オス端子が挿入されて来たときにオス端子に弾性接触するためのバネ部を有している（例えば、特許文献１参照）。そして、ボックス部でバネ部を覆うことによって、取り扱い時などにバネ部が損傷しないように保護している。
【０００３】
このようにボックス部が端子の前部に付いている場合は、端子を単体で取り扱ってもバネ部を損傷する心配がないので、予め端子の後端に電線を圧着や半田付け等により接続した後、端子をコネクタハウジングの端子収容室にその後端より挿入してコネクタを組み上げている（例えば、特許文献２参照）。
【特許文献１】特開２００３−５９５６５号公報
【特許文献２】特開２００７−３０５４５４号公報
【発明の開示】
【発明が解決しようとする課題】
【０００４】
ところで、材料費などの削減のためにメス端子のボックス部を無くそうとする試みがあるが、ボックス部を無くした場合、バネ部が剥き出しになってしまい、バネ部の保護ができなくなるおそれがある。従って、端子の取り扱いの早い段階で、バネ部を保護するために端子をコネクタハウジングに収容しておく必要がある。
【０００５】
しかし、端子をコネクタハウジングに早い段階で収容しておく場合は、その状態で後から電線を端子に接合する技術が必要になり、従来の圧着による接合が困難になる。
【０００６】
本発明は、上記事情を考慮し、ハウジングにセットした状態の端子に、確実に外れないように電線を接続することのできる端子への電線接続方法を提供することを目的とする。
【課題を解決するための手段】
【０００７】
請求項１の発明の端子への電線接続方法は、帯板状の端子基板上に、電線接続部として、この幅方向に間隔を開けて一対の導体挟持片を起立させ、この一対の導体挟持片の間に上方から電線の芯線を挿入可能な挿入溝を確保し、この挿入溝の断面形状を、溝入口部が上方を向いて拡がり、この下の溝中間部が前記電線の芯線の径よりも間隔が狭くなるよう窄まり、更にこの下の溝内底部が再び拡がった鼓形状に構成した端子を用意する準備工程と、前記端子に接続しようとする電線の端部の被覆を除去して、露出した複数の素線の束よりなる芯線に半田を溶融して染み込ませる予備半田工程と、前記予備半田工程にて半田を染み込ませた前記芯線を前記端子の電線接続部の溝入口部に載せ、この状態で前記芯線に上方から半田ごての先端を突き当て、この半田ごてにより前記芯線を加熱することにより該芯線に染み込ませた半田を溶かし、これによりばらけた状態になった芯線を半田ごてで下向きに押圧することにより前記電線接続部の溝内底部に押し込み、この位置で前記半田により前記芯線を端子に接合する本半田工程と、を具備することを特徴としている。
【０００８】
請求項２の発明は、請求項１に記載の端子への電線接続方法において、前記端子をコネクタハウジングの端子収容室に収容し、この状態で、前記端子収容室の天井壁に開けた孔から前記半田ごての先端を挿入して、前記本半田工程を実施することを特徴としている。
【０００９】
請求項３の発明は、請求項２に記載の端子への電線接続方法において、前記端子収容室を前記コネクタハウジングの上下方向に多段に設け、各段の端子収容室に前記端子を収容し、各段の端子収容室の天井壁に上下方向に貫通するように前記孔を設けると共に、これら端子収容室の天井壁の孔に対応するように、少なくとも最下段の端子収容室を除くこれ以外の各段の各端子収容室に収容した前記端子の電線接続部の端子基板上に貫通孔を設け、前記本半田工程の際に、まず最初に、前記コネクタハウジングの後端から最下段の端子収容室の内部に電線の先端を挿入して、前記予備半田工程にて半田を染み込ませた前記芯線を前記端子の電線接続部の溝入口部に載せ、この状態で、前記コネクタハウジングの外部上方から、各段の端子収容室の天井壁に形成した孔と各段の端子の電線接続部の端子基板上に形成した貫通孔を通して、前記半田ごての先端を、最下段の端子収容室まで挿入して、該最下段の端子収容室に収容した端子の電線接続部の溝入口部上に載せた前記芯線に上方から突き当てることで前記本半田工程を実行し、この後、順番に上の段の端子収容室に収容した端子に対して同様の操作で前記本半田工程を実行することにより、各段の端子収容室に収容した端子に対して電線を接続することを特徴としている。
【００１０】
請求項４の発明は、請求項１〜３のいずれか１項に記載の端子への電線接続方法において、前記電線接続部を前記端子の後端に形成し、この電線接続部よりも前側に、相手側端子と弾性接触するバネ部を形成したことを特徴としている。
【発明の効果】
【００１１】
請求項１の発明によれば、例えばコネクタハウジングに上方から半田ごての先端を挿入する箇所（例えば、孔や開放部など）を設けておきさえすれば、この箇所から、半田ごての先端を端子収容室まで挿入することにより、コネクタハウジングに端子を予め収容した状態で、電線を簡単・確実に端子に半田付けすることができる。つまり、半田は予め電線の端部の剥き出しにした芯線に染み込ませてあるので、あとから別に半田を供給しないでも、半田ごてを芯線に押し付けるだけで、芯線を端子に半田付けすることができる。
【００１２】
特に、この方法では、予め半田を染み込ませた芯線を端子収容室にこの後方から挿入して端子収容室内の端子の電線接続部の溝入口部に載せ、この状態で半田ごてを上から押し付けることによって、染み込ませた半田を溶かしながら芯線をばらけた状態にし、溝中間部を通過させて溝内底部に押し込むので、溝入口部側への戻りを抑えながら、芯線を確実に溝内底部に接合することができる。
【００１３】
このように、予めコネクタハウジングに端子を収容してから電線を端子に半田付けすることができることから、端子の先端に剥き出しにバネ部を形成した場合でも、バネ部をコネクタハウジングによって保護することができる。従って、メス端子の前部にバネ部を設ける場合でも、バネ部を保護するためのボックス部を省略することができ、この分、材料コストを削減することができる。
【００１４】
請求項２の発明によれば、端子収容室の天井壁に開けた孔から半田ごての先端を端子収容室まで挿入できるようにしているので、コネクタハウジングの天井部に小さな孔を開けておくだけで、予めコネクタハウジングに収容してある状態で、端子に対し電線接続作業を行うことができる。
【００１５】
請求項３の発明によれば、上下方向に多段に端子収容室が形成されているコネクタの場合にも、予め端子収容室に収容した全部の段の端子に対して電線を半田付けすることができる。
【００１６】
請求項４の発明によれば、前側に相手側端子と弾性接触するバネ部を備えた端子の場合、従来ではバネ部を保護するために端子の前部にボックス部を設けていたが、予めコネクタハウジングの内部に端子を収容した後で電線を端子に半田付けすることができるので、コネクタハウジングによりバネ部を保護することができ、バネ部を保護する目的で設けていたボックス部を省略することができる。
【発明を実施するための最良の形態】
【００１７】
以下、本発明の実施形態を図面を参照して説明する。
【００１８】
図１は第１実施形態の電線接続方法の説明図で、図１（ａ）は接続する前の状態を示す斜視図、図１（ｂ）は接続中の状態を示す斜視図である。
【００１９】
この方法では、まず、準備工程として、図１（ａ）に示すような形状の端子１０を用意し、これをプレート形状のコネクタハウジング１の端子収容室２に収容する。端子収容室２への端子１０のセットは、コネクタハウジング１の作製時にインサート成形により行ってもよいし、後から圧入により行ってもよい。コネクタハウジング１は、少なくとも端子収容室２の後部上面が開放されたもので、上方から端子１０に対する電線接続作業ができるようになっている。
【００２０】
端子１０は、前部に剥き出しの状態のバネ部１１を有し、後部に電線接続部１２を有している。バネ部１１はへ字状に湾曲しており、端子収容室２の底面に前端１１ａと後端１１ｃを当接させ、中間の湾曲部１１ｂを上に向けた姿勢で端子収容室２内に収まっており、その湾曲部１１ｂを相手側オス端子に弾性接触させるようになっている。
【００２１】
また、電線接続部１２は、帯板状の端子基板１２ａ上に、この幅方向に間隔を開けて一対の導体挟持片１２ｂ、１２ｂを起立させ、この一対の導体挟持片１２ｂ、１２ｂの間に、上方から電線Ｗの芯線Ｗａを挿入可能な挿入溝１５を確保した構成となっている。この挿入溝１５の断面形状は、溝入口部１５ａが上方を向いて拡がり、この下の溝中間部１５ｂが電線Ｗの芯線Ｗａの径よりも間隔が狭くなるよう窄まり、更にこの下の溝内底部１５ｃが再び拡がった鼓形状に構成されている。
【００２２】
このような端子１０を準備する一方で、この端子１０に接続しようとする電線Ｗの端部に対して予備半田工程を実施する。即ち、電線１０の先端の被覆Ｗａを除去して、複数の素線Ｗｃの束よりなる芯線１０ａを露出させる。そして、この露出した芯線Ｗａに対して半田を溶融させて染み込ませておく。
【００２３】
以上の準備が整ったら、本半田工程を実施する。本半田工程では、図１（ｂ）に示すように、まず、予備半田工程にて半田を染み込ませた芯線Ｗａを、端子１０の電線接続部１２の溝入口部１５ａに載せる。次に、この状態で、芯線Ｗａに上方から半田ごてＨの先端を突き当てる。そして、この半田ごてＨにより芯線Ｗａを加熱することにより、芯線Ｗａに染み込ませた半田を溶かし、これにより、ばらけた状態になった芯線Ｗａを、半田ごてＨで下向きに押圧することにより、電線接続部１２の溝内底部１５ｃに押し込み、その位置で半田により芯線Ｗａを端子１０に接合する。
【００２４】
このように、簡単・確実に電線Ｗを、予めコネクタハウジング１の端子収容室２に収容した端子１０に半田付けにより接続することができる。この際、半田は予め電線Ｗの端部の剥き出しにした芯線Ｗａに染み込ませてあるので、あとから別に半田を供給しないでも、半田ごてＨの先端を芯線Ｗａに押し付けるだけで、芯線Ｗａを端子１０に半田付けすることができる。
【００２５】
特に、この方法では、染み込ませた半田を溶かしながら芯線Ｗａをばらけた状態にし、溝中間部１５ｂを通過させて溝内底部１５ｃに押し込むので、溝入口部１５ａ側への戻りを抑えながら、芯線Ｗａを確実に溝内底部１５ｃに接合することができる。
【００２６】
従って、このように、予めコネクタハウジング１に端子１０を収容してから電線Ｗを端子１０に半田付けできることから、端子１０の先端に剥き出しにバネ部１１を形成した場合でも、バネ部１１をコネクタハウジング１によって保護することができる。このため、バネ部１１を保護するための従来のボックス部を省略することができ、この分、材料コストを削減することができる。
【００２７】
なお、上記第１実施形態では、少なくとも後部上面が開放された形のプレート形のコネクタハウジング１に端子１０を収容する場合の例を示したが、コネクタハウジングの後部上面に半田ごての先端を挿入できる孔を形成しておき、この孔を通して前記本半田工程を実施することもできる。
【００２８】
次にそれを発展させた本発明の第２実施形態の方法を説明する。
【００２９】
図２はその実施形態の方法に使用するコネクタハウジング２０の構成図、図３は同実施形態の方法に使用する端子の平面図、図４は同実施形態の方法の要部である本半田工程を実施している状態を示す斜視図である。
【００３０】
図２に示すように、コネクタハウジング２０は、複数の端子収容室２を上下方向に多段に設けたもので、各端子収容室２の前端には、相手側オス端子の先端を差し込むための差込口３が設けられ、後端には、第１実施形態と同様の構成の端子１０を挿入するための開口４が設けられている。また、各段の端子収容室２の天井壁には上下方向に貫通するように孔２３が設けられている。
【００３１】
これらコネクタハウジング２０の各段の端子収容室２に対して、電線Ｗの接続前に、バネ部１１を保護する目的で端子１０を早い段階で収容しておく。但し、この場合の端子１０は、図３に示すように、電線接続部１２の端子基板１２ａ上に貫通孔１３を形成したものである。これら貫通孔１３は、端子収容室２の天井壁の孔２３に対応しており、ここでは最上段の天井壁であるコネクタハウジング上壁の孔２３のみが図示してある。これらの孔２３および貫通孔１３は、図３に示すように、半田ごてＨの先端を最下段まで挿入できるように形成されている。
【００３２】
なお、最下段の端子収容室２に収容される端子１０に関しては、半田ごてＨを貫通させる必要がないので、貫通孔１３は不要であるが、煩雑さを避けるために、ここでは全部共通の端子１０が収容されている。
【００３３】
このようにコネクタハウジング２０と端子１０を準備する一方で、電線Ｗの端部に対して、上述したように予備半田工程を実施しておく。
【００３４】
そして、以上の準備が整ったら、本半田工程を実施する。本半田工程の際には、まず最初に、図４に示すように、コネクタハウジング２０の後端の開口４から最下段の端子収容室２の内部に電線Ｗの先端を挿入して、予備半田工程にて半田を染み込ませた芯線Ｗａを端子１０の電線接続部１２の溝入口部１５ａに載せる（図１と同様）。
【００３５】
次に、この状態で、コネクタハウジング２０の外部上方から、各段の端子収容室２の天井壁に形成した孔２３と各段の端子１０の電線接続部１２の端子基板１２ａ上に形成した貫通孔１３を通して、半田ごてＨの先端を最下段の端子収容室２まで挿入する。そして、最下段の端子収容室２に収容した端子１０の電線接続部１２の溝入口部１５ａ上に載せた芯線Ｗａに上方から突き当てることで本半田工程を実行する。
【００３６】
最下段の端子１０への電線Ｗの接続が全て終了したら、次に、この上の段の端子収容室２に収容した端子１０に対して同様の操作で本半田工程を実行する。以降はそれを繰り返すことにより、各段の端子収容室２に収容した端子１０に対して電線Ｗを接続する。そうすることにより、全ての端子１０に対する電線接続を終了し、コネクタの組み立てが完了する。
【００３７】
このように、端子収容室２の天井壁に開けた孔２３から半田ごてＨの先端を端子収容室２まで挿入できるようにしているので、コネクタハウジング２０の天井部に小さな孔２３を開けておくだけ、また、端子１０の必要箇所に貫通孔１３を開けておくだけで、予めコネクタハウジング２０に収容してある状態で端子１０に対し電線接続作業を行うことができる。特に上下方向に多段に端子収容室２が形成されている場合にも利用できるので、一般に使用されているコネクタ全般に適用することができる。
【図面の簡単な説明】
【００３８】
【図１】本発明の第１実施形態の電線接続方法の説明図で、（ａ）は接続する前の状態を示す斜視図、（ｂ）は接続中の状態を示す斜視図である。
【図２】本発明の第２実施形態の方法に使用するコネクタハウジング２０の構成図である。
【図３】同第２実施形態の方法に使用する端子の平面図である。
【図４】同第２実施形態の方法の要部である本半田工程を実施している状態を示す斜視図である。
【符号の説明】
【００３９】
１  コネクタハウジング
２  端子収容室
１０  端子
１１  バネ部
１２  電線接続部
１２ａ  端子基板
１２ｂ  導体挟持片
１３  貫通孔
１５  挿入溝
１５ａ  溝入口部
１５ｂ  溝中間部
１５ｃ  溝内底部
２０  コネクタハウジング
２３  孔
Ｗ  電線
Ｗａ  芯線
Ｗｂ  被覆
Ｗｃ  素線
Ｈ  半田ごて
【図１】
2010092642.tif 000003
【図２】
2010092642.tif 000004
【図３】
2010092642.tif 000005
【図４】
2010092642.tif 000006